(57)【要約】【課題】搬送方向と交差する交差方向の長さが異なる複数の紙幣を搬送する自動取引装置において、紙幣を集積部に適切に搬送する。【解決手段】自動取引装置は、紙幣を繰り出す繰出部と、前記紙幣を集積する集積部と、前記繰出部と前記集積部の間で、第１紙幣、及び前記第１紙幣よりも搬送方向と交差する交差方向における長さが短い第２紙幣を前記搬送方向に搬送する搬送部と、前記繰出部から繰り出されて搬送中の前記第２紙幣の前記交差方向における基準位置からのズレ量を判定する判定部と、前記判定部により前記ズレ量が大きいと判定された第２紙幣を前記繰出部へ搬送させ、前記ズレ量が小さいと判定された第２紙幣を前記集積部へ搬送させる制御部と、を備える。【選択図】図１１
2015007869.tif 000002
【特許請求の範囲】
【請求項１】
紙幣を繰り出す繰出部と、
前記紙幣を集積する集積部と、
前記繰出部と前記集積部の間で、第１紙幣、及び前記第１紙幣よりも搬送方向と交差する交差方向における長さが短い第２紙幣を前記搬送方向に搬送する搬送部と、
前記繰出部から繰り出されて搬送中の前記第２紙幣の前記交差方向における基準位置からのズレ量を判定する判定部と、
前記判定部により前記ズレ量が大きいと判定された第２紙幣を前記繰出部へ搬送させ、前記ズレ量が小さいと判定された第２紙幣を前記集積部へ搬送させる制御部と、
を備える、自動取引装置。
【請求項２】
請求項１に記載の自動取引装置において、
前記繰出部は、
前記第１紙幣の前記交差方向の長さに対応した大きさの投入口を有し、
前記投入口に投入された前記第１紙幣と前記第２紙幣を繰り出す、自動取引装置。
【請求項３】
請求項１又は２に記載の自動取引装置において、
前記判定部は、前記繰出部から繰り出されて搬送中の紙幣が正常紙幣又は異常紙幣であるかを判定し、
前記制御部は、前記判定部により異常紙幣を判定された紙幣を前記繰出部に搬送させた後に、当該紙幣を再度繰り出して搬送させるリトライ搬送を行う、自動取引装置。
【請求項４】
請求項３に記載の自動取引装置において、
前記制御部は、前記判定部により前記ズレ量が大きいと判定された第２紙幣を前記繰出部へ搬送させた場合には、前記第２紙幣のリトライ搬送を行わない、自動取引装置。
【請求項５】
請求項３又は４に記載の自動取引装置において、
前記制御部は、前記判定部により前記ズレ量が大きいと判定された第２紙幣と、異常紙幣と判定された第１紙幣とを前記繰出部へ搬送させた場合には、前記第２紙幣及び前記第１紙幣のリトライ搬送を行わない、自動取引装置。
【請求項６】
請求項４又は５に記載の自動取引装置において、
前記繰出部は、前記第１紙幣の前記交差方向の長さに対応した大きさの投入口を有し、
前記判定部により前記ズレ量が大きいと判定された第２紙幣が前記繰出部に搬送された後であって前記投入口に紙幣が再投入される際に、前記第２紙幣の前記投入口に対する投入位置を誘導する誘導表示を行う表示部を更に備える、自動取引装置。
【請求項７】
請求項６に記載の自動取引装置において、
前記表示部は、前記判定部により異常紙幣を判定された第１紙幣が前記繰出部に搬送された後であって前記投入口に紙幣が再投入される際には、前記誘導表示を行わない、自動取引装置。
【請求項８】
請求項１〜７のいずれか１項に記載の自動取引装置において、
前記集積部は、カセットへ搬送される紙幣を一時的に集積する一時保留部であり、
前記判定部は、前記一時保留部から繰り出されて搬送中の第２紙幣の前記ズレ量を判定し、
前記制御部は、前記判定部により前記ズレ量が大きいと判定された第２紙幣を第１カセットへ搬送させ、前記ズレ量が小さいと判定された第２紙幣を第２カセットへ搬送させる、自動取引装置。
【請求項９】
請求項８に記載の自動取引装置において、
前記第１カセットは、前記第１紙幣及び前記第２紙幣を収納可能な幅広カセットであり、
前記第２カセットは、前記第１紙幣と前記第２紙幣のうちの前記第２紙幣のみを収納可能な幅狭カセットである、自動取引装置。
【請求項１０】
第１紙幣よりも搬送方向と交差する交差方向における長さが短い第２紙幣を、繰出部から繰り出して搬送するステップと、
搬送中の前記第２紙幣の前記交差方向における基準位置からのズレ量を判定するステップと、
前記ズレ量が大きいと判定された第２紙幣を前記繰出部へ搬送させ、前記ズレ量が小さいと判定された第２紙幣を集積部へ搬送させるステップと、
を有する、紙幣搬送方法。
【発明の詳細な説明】
【技術分野】
【０００１】
本発明は、自動取引装置、及び紙幣搬送方法に関する。
【背景技術】
【０００２】
昨今、金融機関の営業店等にＡＴＭ（Ａｕｔｏｍａｔｅｄ  ｔｅｌｌｅｒ  ｍａｃｈｉｎｅ）に代表される自動取引装置が設置されている。自動取引装置は、貨幣（紙幣や硬貨）の入金取引や出金取引等に利用される。この自動取引装置は、入金取引の際に、顧客が投入した紙幣を搬送方向に搬送させ、集積部に集積させる。
【０００３】
ところで、自動取引装置の中には、例えば紙幣のサイズが異なる複数の国・地域において利用可能とするために、搬送方向と交差する交差方向の長さが異なる複数の紙幣を搬送可能なものがある（特許文献１参照）。なお、以下では、交差方向の長い紙幣を第１紙幣と呼び、交差方向の短い紙幣を第２紙幣と呼ぶ。
【先行技術文献】
【特許文献】
【０００４】
【特許文献１】特開２０１０−１８６４８８号公報
【発明の概要】
【発明が解決しようとする課題】
【０００５】
しかし、特許文献１においては、第１紙幣と第２紙幣の搬送について詳細に検討されていない。例えば、第２紙幣が入金取引の際に第１紙幣を収納する集積部に搬送された場合には、第２紙幣が集積部に不整列に集積されることがある。
【０００６】
第２紙幣が不整列に集積されるのを防止すべく、例えば第２紙幣のみを集積する専用集積部を設ける方策が考えられる。しかし、専用集積部に至る搬送路は、通常狭く形成されるため、第２紙幣の交差方向におけるズレ量が大きい場合には、当該第２紙幣を専用集積部に搬送できない。
【０００７】
そこで、本発明は、上記問題に鑑みてなされたものであり、本発明の目的とするところは、搬送方向と交差する交差方向の長さが異なる複数の紙幣を搬送する自動取引装置において、紙幣を集積部に適切に搬送することにある。
【課題を解決するための手段】
【０００８】
上記課題を解決するために、本発明のある観点によれば、紙幣を繰り出す繰出部と、前記紙幣を集積する集積部と、前記繰出部と前記集積部の間で、第１紙幣、及び前記第１紙幣よりも搬送方向と交差する交差方向における長さが短い第２紙幣を前記搬送方向に搬送する搬送部と、前記繰出部から繰り出されて搬送中の前記第２紙幣の前記交差方向における基準位置からのズレ量を判定する判定部と、前記判定部により前記ズレ量が大きいと判定された第２紙幣を前記繰出部へ搬送させ、前記ズレ量が小さいと判定された第２紙幣を前記集積部へ搬送させる制御部と、を備える、自動取引装置が提供される。
【０００９】
かかる自動取引装置によれば、判定部により交差方向のズレ量が大きいと判定された第２紙幣は繰出部へ搬送され、交差方向のズレ量が小さいと判定された第２紙幣は集積部へ搬送される。これにより、交差方向のズレ量が大きい第２紙幣が集積部（第１紙幣と第２紙幣を集積可能な幅広集積部）へ搬送されることが無いため、ズレ量が大きい第２紙幣が幅広集積部に不整列に集積されることを防止できる。この結果、幅広集積部に集積された第２紙幣を分離する際に不適切に分離されることを抑制できる。また、上記の自動取引装置によれば、交差方向のズレ量が小さい第２紙幣のみが搬送路が狭くなる幅狭集積部へ搬送されるので、ズレ量が大きい第２紙幣が幅狭集積部に搬送されることに起因して発生するジャムを防止できる。
【００１０】
また、上記の自動取引装置において、前記繰出部は、前記第１紙幣の前記交差方向の長さに対応した大きさの投入口を有し、前記投入口に投入された前記第１紙幣と前記第２紙幣を繰り出しても良い。
【００１１】
また、上記の自動取引装置において、前記判定部は、前記繰出部から繰り出されて搬送中の紙幣が正常紙幣又は異常紙幣であるかを判定し、前記制御部は、前記判定部により異常紙幣を判定された紙幣を前記繰出部に搬送させた後に、当該紙幣を再度繰り出して搬送させるリトライ搬送を行っても良い。
【００１２】
また、上記の自動取引装置において、前記制御部は、前記判定部により前記ズレ量が大きいと判定された第２紙幣を前記繰出部へ搬送させた場合には、前記第２紙幣のリトライ搬送を行わなくても良い。
【００１３】
また、上記の自動取引装置において、前記制御部は、前記判定部により前記ズレ量が大きいと判定された第２紙幣と、異常紙幣と判定された第１紙幣とを前記繰出部へ搬送させた場合には、前記第２紙幣及び前記第１紙幣のリトライ搬送を行わなくても良い。
【００１４】
また、上記の自動取引装置において、前記繰出部は、前記第１紙幣の前記交差方向の長さに対応した大きさの投入口を有し、前記判定部により前記ズレ量が大きいと判定された第２紙幣が前記繰出部に搬送された後であって前記投入口に紙幣が再投入される際に、前記第２紙幣の前記投入口に対する投入位置を誘導する誘導表示を行う表示部を更に備えても良い。
【００１５】
また、上記の自動取引装置において、前記表示部は、前記判定部により異常紙幣を判定された第１紙幣が前記繰出部に搬送された後であって前記投入口に紙幣が再投入される際には、前記誘導表示を行わなくても良い。
【００１６】
また、上記の自動取引装置において、前記集積部は、カセットへ搬送される紙幣を一時的に集積する一時保留部であり、前記判定部は、前記一時保留部から繰り出されて搬送中の第２紙幣の前記ズレ量を判定し、前記制御部は、前記判定部により前記ズレ量が大きいと判定された第２紙幣を第１カセットへ搬送させ、前記ズレ量が小さいと判定された第２紙幣を第２カセットへ搬送させても良い。
【００１７】
また、上記の自動取引装置において、前記第１カセットは、前記第１紙幣及び前記第２紙幣を収納可能な幅広カセットであり、前記第２カセットは、前記第１紙幣と前記第２紙幣のうちの前記第２紙幣のみを収納可能な幅狭カセットであっても良い。
【００１８】
上記課題を解決するために、本発明の別の観点によれば、第１紙幣よりも搬送方向と交差する交差方向における長さが短い第２紙幣を、繰出部から繰り出して搬送するステップと、搬送中の前記第２紙幣の前記交差方向における基準位置からのズレ量を判定するステップと、前記ズレ量が大きいと判定された第２紙幣を前記繰出部へ搬送させ、前記ズレ量が小さいと判定された第２紙幣を集積部へ搬送させるステップと、を有する、紙幣搬送方法が提供される。
【発明の効果】
【００１９】
以上説明したように本発明によれば、搬送方向と交差する交差方向の長さが異なる複数の紙幣を搬送する自動取引装置において、紙幣を集積部に適切に搬送することが可能となる。
【図面の簡単な説明】
【００２０】
【図１】本発明の第１の実施形態に係る自動取引装置１の概略構成の一例を示す図である。
【図２】第１の実施形態に係る紙幣入出金機２０の内部構成の一例を示す図である。
【図３】互いにサイズの異なる複数の紙幣の一例を示す模式図である。
【図４】接客部１１０の接客口１１２に投入された紙幣のセット状態を示す模式図である。
【図５】比較例に係る収納部２５０に不整列に集積された小型紙幣Ｓ２の状態を示す模式図である。
【図６】比較例に係る収納部２５０に不整列に集積された小型紙幣と、分離ローラ２６１〜２６４との関係を示す模式図である。
【図７】幅広収納部と幅狭収納部の構成を説明するための図である。
【図８】小型紙幣収納部１５４に設けられたスイッチＳＷ１、ＳＷ２のオン・オフ状態と、カセット内幅の関係を示すテーブルである。
【図９】鑑別部１３０と小型紙幣収納部１５４の間の搬送される小型紙幣Ｓ２を示す模式図である。
【図１０】小型紙幣Ｓ２の幅方向におけるズレ量を説明するための模式図である。
【図１１】第１の実施形態に係る入金取引時の自動取引装置１の動作例を示すフローチャートである。
【図１２】第１の実施形態に係る入金取引時の自動取引装置１の動作例を示すフローチャートである。
【図１３】比較例に係る入金取引時の自動取引装置の動作例を示すフローチャートである。
【図１４】第２の実施形態に係る入金取引時の自動取引装置１の動作例を示すフローチャートである。
【図１５】第３の実施形態に係る表示部１４のガイダンス表示の一例を示す図である。
【図１６】第３の実施形態に係る入金取引時の自動取引装置１の動作例を示すフローチャートである。
【図１７】第４の実施形態に係る入金取引における収納処理時の自動取引装置１の動作例を示すフローチャートである。
【発明を実施するための形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
＜１．第１の実施形態＞
（１−１．自動取引装置の概略構成）
図１を参照しながら、本発明の第１の実施形態に係る自動取引装置１の概略構成の一例について説明する。図１は、第１の実施形態に係る自動取引装置１の概略構成の一例を示す図である。
【００２３】
自動取引装置１は、例えば金融機関の営業店等に設置されている。自動取引装置１は、紙幣と硬貨を取扱可能であるが、以下では紙幣を取り扱うものとして説明する。自動取引装置１は、図１に示すように、電源１２と、表示部１４と、制御部１６と、紙幣入出金機２０と、カードリーダ３０と、レシートプリンタ４０とを備える。
【００２４】
電源１２は、制御部１６に接続され、制御部１６に電力を供給する。表示部１４は、例えばＬＣＤ（Ｌｉｑｕｉｄ  Ｃｒｙｓｔａｌ  Ｄｉｓｐｌａｙ）であり、顧客に取引に関する情報を表示画面に表示する。表示部１４には、タッチパネルが重畳されている。顧客は、表示画面に表示された情報を見ながらタッチパネルで取引に関する入力操作を行う。
【００２５】
制御部１６は、自動取引装置１の全体を制御する。例えば、制御部１６は、紙幣入出金機２０による紙幣の搬送を制御する。制御部１６は、ハードディスクドライブ１６ａと、メモリ１６ｂとを備える。ハードディスクドライブ１６ａは、自動取引装置１の制御部１６にて実行される各種プログラム等を記憶する記憶部である。メモリ１６ｂは、制御部１６により実行させる処理において、一時的に情報を記憶する。
【００２６】
紙幣入出金機２０は、紙幣の入出金を管理する。なお、紙幣入出金機２０の詳細な内部構成については、後述する。カードリーダ３０は、キャッシュカードの情報を読み取る機能を有する。レシートプリンタ４０は、利用明細書を発行する機能を有する。
【００２７】
自動取引装置１は、上位装置である管理サーバ等と通信可能に接続されている。自動取引装置１は、例えば顧客によって取引が行なわれると、取引情報を管理サーバに送信する。
【００２８】
（１−２．紙幣入出金機の内部構成）
図２を参照しながら、第１の実施形態に係る紙幣入出金機２０の内部構成の一例について説明する。図２は、第１の実施形態に係る紙幣入出金機２０の内部構成の一例を示す図である。
【００２９】
紙幣入出金機２０は、図２に示すように、接客部１１０と、一時保留部１２０と、鑑別部１３０と、搬送路１４０と、収納部１５１〜１５５と、特殊紙幣収納部１６０、１７０と、媒体検知センサ１８０ａ〜１８０ｓと、モータ１９０ａ〜１９０ｃとを有する。なお、第１の実施形態では、接客部１１０が繰出部に相当し、一時保留部１２０が集積部に相当し、鑑別部１３０が判定部に相当し、搬送路１４０が搬送部に相当する。
【００３０】
接客部１１０は、顧客の入金する紙幣の分離、又は顧客に出金する紙幣の集積を行う。接客部１１０は、入金された紙幣を繰出す繰出機構、及び出金された紙幣を集積する集積機構を有する接客口１１２（図４参照）を有する。接客口１１２には、顧客からの紙幣の投入時および顧客への紙幣の引渡し時等に開閉するシャッタが設けられている。接客部１１０は、接客口１１２と他の機能部とが搬送路１４０によって接続されている。接客口１１２に投入された紙幣は、搬送路１４０を介して一時保留部１２０、鑑別部１３０、収納部１５１〜１５５に搬送される。また、紙幣の出金時には、一時保留部１２０、鑑別部１３０、収納部１５１〜１５５から接客部１１０へ、搬送路１４０を介して紙幣が搬送される。
【００３１】
一時保留部１２０は、顧客が入金した紙幣のうち正常と鑑別された紙幣を一時保留する。具体的には、一時保留部１２０は、収納部１５１〜１５５へ搬送させる紙幣を一時的に集積する集積部である。一時保留部１２０に収納された紙幣は、搬送路１４０を介して、接客部１１０や収納部１５１〜１５５、特殊紙幣収納部１６０、１７０へ搬送される。
【００３２】
鑑別部１３０は、顧客の入金した紙幣または顧客に出金する紙幣を鑑別する。鑑別部１３０は、例えば、紙幣が正常紙幣又は異常紙幣であるかを判定する。また、鑑別部１３０は、紙幣の金種等を識別したり、重送や連鎖、接近、スキュー等を検出したりする。また、鑑別部１３０は、ＯＣＲ（Ｏｐｔｉｃａｌ  Ｃｈａｒａｃｔｅｒ  Ｒｅｃｏｇｎｉｔｉｏｎ）等の文字認識手段を用いて、搬送路１４０を搬送されている紙幣の記番号を認識検出する記番号取得部としても機能する。
【００３３】
搬送路１４０は、接客部１１０、一時保留部１２０、鑑別部１３０、収納部１５１〜１５５、および特殊紙幣収納部１６０、１７０の間で、紙幣を双方向に搬送する経路である。搬送路１４０には、例えばベルトやローラ等で紙幣を挟持して送り出す搬送機構や、分岐点にて紙幣の搬送方向を切替える切替機構等が設けられている。
【００３４】
収納部１５１〜１５５は、顧客の入金した紙幣および他の収納部から出金された紙幣を収納する収納カセットである。収納部１５１〜１５５のうちの収納部１５１〜１５３は、鑑別部１３０により正常と判定された紙幣を、例えば金種別等で分類して収納する金種別収納部ある。収納部１５４は、小型紙幣のみを収納する小型紙幣収納部である。収納部１５５は、例えば収納処理時に異常紙幣と鑑別された紙幣を収納するリジェクト収納部である。なお、各収納部は、紙幣を１枚毎に分離して繰出すと共に、搬送された紙幣を集積する分離集積機構を有する。
【００３５】
なお、入金処理時に鑑別部１３０により異常紙幣と判定された紙幣は、接客部１１０に搬送される（戻される）。第１の実施形態においては、入金処理時に接客部１１０に戻った紙幣を再度繰り出して搬送する、所謂リトライ搬送が行なわれる。リトライ搬送は、予め設定された回数だけ試みられる。
【００３６】
特殊紙幣収納部１６０、１７０は、入金時または出金時において検出された特殊な紙幣を収納する。特殊紙幣収納部１６０は、出金時の異常紙幣を収納する。特殊紙幣収納部１７０は、入金又は出金時に顧客が取り忘れた紙幣を収納する。特殊紙幣収納部１６０、１７０も、収納部１５１〜１５５と同様な構成を有する。
【００３７】
媒体検知センサ１８０ａ〜１８０ｓは、搬送路１４０に付設され、搬送路１４０を通過する紙幣を検出するセンサである。媒体検知センサ１８０ａ〜１８０ｓは、例えば搬送路１４０を搬送されている紙幣の厚みを検出するセンサである。媒体検知センサ１８０ａ〜１８０ｓにより紙幣の厚みを検出させることで、紙幣の搬送状況に異常がないか確認することができる。
【００３８】
モータ１９０ａ〜１９０ｃは、一時保留部１２０へ紙幣を集積させたり、一時保留部１２０から紙幣を分離したりするために設けられる。
【００３９】
上記の構成を有する紙幣入出金機２０における紙幣の搬送等の処理は、本体側の制御部１６（図１）により制御される。ただし、これに限定されず、紙幣入出金機２０内に制御部が設けられても良い。
【００４０】
（１−３．小型紙幣の取扱時の問題ついて）
上述した自動取引装置１の中には、サイズの異なる複数の紙幣の入出金を行うことが可能なものがある。かかる自動取引装置１は、例えば、複数の国・地域における紙幣を１台でまとめて管理可能である。複数の国・地域における紙幣は、通常、それぞれ長手方向と短手方向の少なくともいずれか一方の長さが異なる場合が多い。
【００４１】
図３は、互いにサイズの異なる複数の紙幣の一例を示す模式図である。図３には、長手方向の長さが大きい大型紙幣Ｓ１と、長手方向の長さが小さい小型紙幣Ｓ２とが示されており、大型紙幣Ｓ１と小型紙幣Ｓ２は図３に示す矢印の向きに搬送される。この際、大型紙幣Ｓ１と小型紙幣Ｓ２は、それぞれ長手方向が搬送方向と交差する（正確には、直交する）幅方向に沿うように搬送される。なお、大型紙幣Ｓ１の短手方向の長さも、小型紙幣Ｓ２の短手方向の長さよりも大きくても良い。
【００４２】
大型紙幣Ｓ１と小型紙幣Ｓ２の両方を入出金する自動取引装置１においては、接客部１１０、搬送部１４０、及び収納部１５１〜１５５が、サイズが大きい方の大型紙幣Ｓ１に合わせて設計されている。これにより、接客部１１０と収納部１５１〜１５５の間で、大型紙幣Ｓ１と小型紙幣Ｓ２の両方を搬送方向に搬送可能となる。
【００４３】
図４は、接客部１１０の接客口１１２に投入された紙幣のセット状態を示す模式図である。図４（ａ）は、大型紙幣Ｓ１が接客口１１２にセットされた状態を示し、図４（ｂ）及び図４（ｃ）は、小型紙幣Ｓ２が接客口１１２にセットされた状態を示す。接客部１１０は、接客口１１２に投入された大型紙幣Ｓ１と小型紙幣Ｓ２を繰り出す。接客口１１２は、大型紙幣Ｓ１の長手方向の長さに対応した大きさの投入口である。具体的には、図４（ａ）〜図４（ｃ）から分かるように、接客口１１２の長手方向の幅は、大型紙幣Ｓ１の長手方向の幅とほぼ同じ又は少し大きい。このため、大型紙幣Ｓ１は、図４（ａ）に示すように長手方向において接客口１１２のほぼ定まった位置にセットされる。一方で、小型紙幣Ｓ２の場合には、顧客が接客口１１２に投入した位置に応じて、図４（ｂ）と図４（ｃ）に示すように接客口１１２内でのセット位置が変動する。
【００４４】
小型紙幣Ｓ２の接客口１１２でのセット位置が変動すると、搬送中の小型紙幣Ｓ２の幅方向（図３）の位置も変動してしまう。例えば、小型紙幣Ｓ２が図４（ｂ）に示すようにセットされた場合には、図３に示すように幅方向の中央側で搬送される。一方で、小型紙幣Ｓ２が図４（ｃ）に示すようにセットされた場合には、幅方向の片側に寄って搬送される。そして、収納部１５１〜１５５へ搬送されてきた小型紙幣Ｓ２の収納部の幅方向での位置は、搬送時の幅方向における位置に左右される。このため、幅方向の中央側を搬送される小型紙幣Ｓ２と、幅方向の片側に寄って搬送される小型紙幣Ｓ２とが混在して収納部に搬送されると、図５に示すように収納部２５０に小型紙幣Ｓ２が不整列に集積されてしまう。
【００４５】
図５は、比較例に係る収納部２５０に不整列に集積された小型紙幣Ｓ２の状態を示す模式図である。なお、図５に示す収納部２５０の幅方向は、小型紙幣Ｓ２の長手方向である。搬送時に幅方向の中央側の搬送されてきた小型紙幣Ｓ２は、ステージ２５２上で幅方向の中央側に位置する。一方で、搬送時に幅方向の片側に寄って搬送されてきた小型紙幣Ｓ２は、図５（ａ）〜図５（ｃ）に示すように、ステージ２５２上で幅方向の端側に寄ったり、収納部２５０の側壁２５１に接触して折れ曲がってしまう。
【００４６】
そして、小型紙幣Ｓ２が収納部２５０に不整列に集積されている場合には、その後に出金等のために小型紙幣Ｓ２を分離ローラにより収納部２５０から分離する際に、図６に示す不具合を引き起こす恐れがある。
【００４７】
図６は、比較例に係る収納部２５０に不整列に集積された小型紙幣と、分離ローラ２６１〜２６４との関係を示す模式図である。なお、図６（ａ）〜図６（ｃ）は、それぞれ図５（ａ）〜図５（ｃ）に示す小型紙幣Ｓ２を分離ローラ２６１〜２６４で分離させる状態を示している。
【００４８】
分離ローラ２６１〜２６４が小型紙幣Ｓ２を分離する際には、ステージ２５２が上昇することで、小型紙幣Ｓ２が分離ローラ２６１〜２６４に接触して当該分離ローラを少し押し上げる。分離ローラ２６１〜２６４の近傍には、センサ２７１、２７２が設けられている。センサ２７１、２７２が上昇した分離ローラ２６１〜２６４を検出すると、小型紙幣Ｓ２が繰り出される。しかし、図６（ａ）の状態では、分離ローラ２６４が小型紙幣Ｓ２に接触しないので、当該分離ローラ２６４が上昇せず、センサ２７２が分離ローラの上昇を検出できず、エラーとなってしまう。
【００４９】
図６（ｂ）の状態では、４つの分離ローラ２６１〜２６４のうちの３つの分離ローラ２６１〜２６３により小型紙幣Ｓ２が分離される。かかる場合には、繰り出した小型紙幣Ｓ２にスキューが発生する恐れがある。そして、スキューが発生した小型紙幣Ｓ２は、収納部２５０に戻されてしまう。
【００５０】
図６（ｃ）の状態では、ステージ２５２上の小型紙幣が幅方向の両側に交互にずれて集積されている。かかる場合に、最上位の小型紙幣Ｓ２を繰り出す際には、４つの分離ローラ２６１〜２６４のうちの３つの分離ローラ２６２〜２６４は最上位の小型紙幣Ｓ２に接触する一方で、分離ローラ２６１が一枚下の小型紙幣Ｓ２に接触する。このため、２枚の小型紙幣Ｓ２が同時に繰り出されてしまう。
【００５１】
上記の収納部２５０における小型紙幣Ｓ２の不整列を防止するために、自動取引装置１は、小型紙幣Ｓ２のみを収納する小型紙幣収納部１５４（図２）を有する。かかる場合には、小型紙幣収納部１５４に設けられた分離ローラが、小型紙幣Ｓ２に適切に接触するので、分離時の不具合の発生を防止できる。
【００５２】
なお、小型紙幣収納部１５４においては、大型紙幣を収納可能な金種別収納部１５１〜１５３やリジェクト収納部１５５に比べて、幅方向の長さが短い。このため、小型紙幣収納部１５４が幅狭収納部に該当し、金種別収納部１５１〜１５３やリジェクト収納部１５５が幅広収納部に該当する。以下では、図７を参照しながら、幅広収納部と幅狭収納部の構成について説明する。
【００５３】
図７は、幅広収納部と幅狭収納部の構成を説明するための図である。図７（ａ）が幅狭収納部である小型紙幣収納部１５４を示し、図７（ｂ）が幅広収納部である金種別収納部１５１を示す。金種別収納部１５１と小型紙幣収納部１５４には、それぞれ紙幣を挟むように一対のガイド１５１ｂ、１５４ｂが設けられている。金種別収納部のガイド１５１ｂは、大型紙幣Ｓ１を挟む位置に固定されている。小型紙幣収納部１５４のガイド１５４ｂは、幅方向においてカセット内幅を調整できるように移動可能な構成になっている。これにより、自動取引装置１が使用される国・地域の小型紙幣の長手方向の長さに対応するように、小型紙幣収納部１５４のカセット内幅を調整できる。
【００５４】
また、小型紙幣収納部１５４には、それぞれオン・オフを切り替え可能なスイッチＳＷ１、ＳＷ２が設けられている。そして、スイッチＳＷ１、ＳＷ２は、以下のように利用される。すなわち、自動取引装置１の出荷前等に、作業者は、自動取引装置１が使用される国・地域の小型紙幣のサイズに合わせて小型紙幣収納部１５４のカセット内幅を調整するため、小型紙幣収納部１５４に設けられたガイド１５４ｂの位置を調整する。ここでは、カセット内幅が、３つの長さＬ１、Ｌ２、Ｌ３に調整されるものとする。作業者は、ガイドの位置を調整すると、カセット内幅に合わせてスイッチＳＷ１、ＳＷ２のオン・オフを設定する。
【００５５】
図８は、小型紙幣収納部１５４に設けられたスイッチＳＷ１、ＳＷ２のオン・オフ状態と、カセット内幅の関係を示すテーブルである。図８に示すように、カセット内幅が長さＬ１である場合には、スイッチＳＷ１がオンで、スイッチＳＷ２がオフである。カセット内幅が長さＬ２である場合には、スイッチＳＷ１がオフで、スイッチＳＷ２がオンである。カセット内幅が長さＬ３である場合には、スイッチＳＷ１及びスイッチＳＷ２がオンである。自動取引装置１は、スイッチＳＷ１、ＳＷ２のオン・オフの設定状態を参照して、対応する小型紙幣Ｓ２を小型紙幣収納部１５４に搬送する。なお、上記では、二つのスイッチＳＷ１、ＳＷ２があることとしたが、これに限定されず、三つ以上のスイッチを設けても良い。かかる場合には、一つの小型紙幣収納部１５４で、多くの種類の小型紙幣Ｓ２を収納できる。
【００５６】
小型紙幣収納部１５４を設けた場合には、小型紙幣Ｓ２の分離時の不具合を防止できる。一方で、搬送時の小型紙幣Ｓ２の幅方向の位置によっては、小型紙幣Ｓ２が小型紙幣収納部１５４収納できない恐れがある。図９を参照して、より具体的に説明する。
【００５７】
図９は、鑑別部１３０と小型紙幣収納部１５４の間の搬送される小型紙幣Ｓ２を示す模式図である。通常、搬送路１４０は、紙幣の長手方向の中心が幅方向の中心と一致するように搬送するように設計されている。また、小型紙幣収納部１５４には大型紙幣Ｓ１が搬送されないため、小型紙幣収納部１５４の手前の搬送路１４０は、図９に示すように狭くなっている。このため、小型紙幣収納部１５４に搬送される小型紙幣Ｓ２の長手方向の中心が、幅方向の中心からずれていると、小型紙幣Ｓ２が小型紙幣収納部１５４に搬送できない。このような小型紙幣Ｓ２は、強制的にリジェクト収納部１５５（図１）に搬送されてしまい、リサイクル率（入金紙幣に対する出金紙幣の割合）が低下してしまう。
【００５８】
そこで、小型紙幣Ｓ２を小型紙幣収納部１５４に適切に収納するため、第１の実施形態に係る自動取引装置１は、以下のような構成を有する。
【００５９】
まず、自動取引装置１の鑑別部１３０は、接客部１１０から繰り出されて搬送中の紙幣が、小型紙幣又は大型紙幣であるかを判定する。小型紙幣か大型紙幣であるかは、鑑別部１３０により鑑別された紙幣の金種により判別される。また、鑑別部１３０は、搬送中の小型紙幣の幅方向における基準位置からのズレ量を判定する。ここで、基準位置は、幅方向の中央である。このため、鑑別部１３０は、小型紙幣が幅方向の中央側を搬送されている際には、幅方向のズレ量が小さいと判定し、小型紙幣が幅方向の端側を搬送されている際には、幅方向のズレ量が大きいと判定する。なお、上記では、基準位置が幅方向の中央であることとしたが、これに限定されない。例えば、基準位置が幅方向の端であっても良い。
【００６０】
制御部１６は、鑑別部１３０により幅方向（交差方向）のズレ量が大きいと判定された小型紙幣Ｓ２を接客部１１０へ、幅方向のズレ量が小さいと判定された小型紙幣Ｓ２を小型紙幣収納部１５４へ搬送させる。なお、制御部１６は、幅方向のズレ量が小さいと判定された小型紙幣Ｓ２を、一時保留部１２０を経由して小型紙幣収納部１５４へ搬送する。ただし、これに限定されず、制御部１６は、幅方向のズレ量が小さいと判定された小型紙幣Ｓ２を、小型紙幣収納部１５４へ直接搬送しても良い。
【００６１】
上記の搬送制御によって、ズレ量が小さい適切な搬送状態の小型紙幣Ｓ２を小型紙幣収納部１５４へ収納できる。また、ズレ量が大きい小型紙幣Ｓ２を接客部１１０へ搬送させることで、リジェクト収納部１５５へ搬送されることを防止できるので、リサイクル率の低下を防止できる。更に、接客部１１０へ搬送された小型紙幣Ｓ２は、リトライ搬送の際にズレ量が小さくなっていれば、幅狭収納部に搬送できる。
【００６２】
図１０は、小型紙幣Ｓ２の幅方向におけるズレ量を説明するための模式図である。小型紙幣Ｓ２の幅方向におけるズレ量は、鑑別部１３０により判定される。鑑別部１３０は、小型紙幣Ｓ２の幅方向における位置に応じて、ズレ量が大きいか小さいかを判定する。具体的には、鑑別部１３０は、幅方向の中心から左右にそれぞれ所定間隔Ｍ／２の間の領域Ｒ外に小型紙幣Ｓ２が位置している場合に、幅方向のズレ量が大きいと判定する。図１０では、小型紙幣Ｓ２（ａ）が領域Ｒ内に位置するので、小型紙幣Ｓ２（ａ）の幅方向のズレ量は小さい。一方で、小型紙幣Ｓ２（ｂ）〜Ｓ２（ｇ）の一部が領域Ｒ外に位置するので、小型紙幣Ｓ２（ｂ）〜Ｓ２（ｇ）の幅方向のズレ量は大きい。なお、領域Ｒの幅Ｍは、小型紙幣Ｓ２の長手方向の幅より所定値だけ大きく設定されている。
【００６３】
（１−４．第１の実施形態に係る入金取引時の自動取引装置の動作）
図１１及び図１２を参照しながら、第１の実施形態に係る入金取引時の自動取引装置１の動作例について説明する。図１１及び図１２は、第１の実施形態に係る入金取引時の自動取引装置１の動作例を示すフローチャートである。なお、図１１には、入金取引における入金処理時の自動取引装置１の動作例が示され、図１２には、入金取引における収納処理時の自動取引装置１の動作例が示されている。
【００６４】
入金取引時の自動取引装置１の動作は、例えば制御部１６のＣＰＵがＲＯＭに記憶されたプログラムを実行することにより、実現される。なお、実行されるプログラムは、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、メモリカード等の記録媒体に記憶されても良く、インターネットを介してサーバ等からダウンロードされても良い。
【００６５】
図１１のフローチャートは、顧客が表示部１４において入金取引を選択したところから開始される。まず、制御部１６は、接客部１１０の接客口１１２のシャッタを開ける（ステップＳ１０２）。これにより、顧客は、紙幣を接客口１１２にセット可能である。ここでは、顧客は、様々なサイズの紙幣（小型紙幣や大型紙幣等）を接客口にセット可能であるものとする。
【００６６】
次に、制御部１６は、検知センサにより接客口１１２に紙幣に有るか否かを判定する（ステップＳ１０４）。顧客が接客口１１２に紙幣をセットした場合には、検知センサにより接客口１１２に紙幣が有ると判定され（ステップＳ１０４：Ｙｅｓ）、制御部１６は、接客口１１２のシャッタを閉じ（ステップＳ１０６）、入金処理を開始する（ステップＳ１０８）。
【００６７】
（入金処理）
入金処理において、制御部１６は、接客口１１２に投入された入金紙幣を一枚ずつ分離して繰り出し、搬送路１４０の搬送方向に搬送する（ステップＳ１１０）。そして、制御部１６は、搬送中の紙幣を鑑別部１３０により鑑別する（ステップＳ１１２）。具体的には、鑑別部１３０は、紙幣が小型紙幣か小型紙幣以外の紙幣（説明の便宜上、大型紙幣と呼ぶ）かを判別し（ステップＳ１１４）、また紙幣が正常紙幣又は異常紙幣かを判別する（ステップＳ１１６、Ｓ１１８）。さらに、鑑別部１３０は、小型紙幣である場合に、当該小型紙幣の幅方向のズレ量が小さいか否かを判定する（ステップＳ１２０）。
【００６８】
鑑別部１３０により大型紙幣であると判別された場合（ステップＳ１１４：Ｎｏ）、制御部１６は、正常紙幣である大型紙幣を一時保留部１２０へ搬送させる（ステップＳ１１６：Ｙｅｓ、Ｓ１２２）。また、制御部１６は、異常紙幣である大型紙幣を接客部１１０へ搬送させる（ステップＳ１１６：Ｎｏ、Ｓ１２４）。
【００６９】
一方で、鑑別部１３０により小型紙幣であると判別された場合（ステップＳ１１４：Ｙｅｓ）、制御部１６は、正常紙幣でかつズレ量が小さい小型紙幣を一時保留部１２０へ搬送させる（ステップＳ１２０：Ｙｅｓ、Ｓ１２６）。また、制御部１６は、正常紙幣でかつズレ量が大きい小型紙幣を接客部１１０へ搬送させる（ステップＳ１２０：Ｎｏ、Ｓ１２８）。さらに、制御部１６は、異常紙幣である小型紙幣を接客部１１０へ搬送させる（ステップＳ１１８：Ｎｏ、Ｓ１３０）。これにより、一時保留部１２０に集積される紙幣は、正常紙幣である大型紙幣と、正常紙幣でかつズレ量が小さい小型紙幣である。
【００７０】
制御部１６は、接客部１１０に投入された全ての紙幣の分離が終了するまで、上述したステップＳ１１０〜Ｓ１３０の処理を繰り返す（ステップＳ１３２）。
【００７１】
自動取引装置１は、異常紙幣やズレ量が大きい小型紙幣であると鑑別部１３０により鑑別された紙幣が接客部１１０に戻された後に、当該紙幣を再分離して搬送する。なお、紙幣の再分離は、予め設定された所定回数だけ行なわれる。これにより、紙幣は、鑑別部１３０により再度鑑別され、正常紙幣であると鑑別されると一時保留部１２０に搬送されることになる。
【００７２】
再鑑別のために紙幣が接客部１１０に戻された場合には（ステップＳ１３４：Ｙｅｓ）、制御部１６は、接客部１１０から紙幣を再分離させる（ステップＳ１１０）。一方で、所定回数だけ紙幣の再分離が行われ、又は全ての紙幣が一時保留部１２０に搬送された場合には（ステップＳ１３４：Ｎｏ）、制御部１６は、入金処理を終了させる（ステップＳ１３６）。
【００７３】
次に、制御部１６は、接客部１１０に紙幣が残留しているかを判定する（ステップＳ１３８）。所定回数だけ紙幣を再分離しても正常紙幣等と鑑別されない場合には、紙幣が接客部１１０に残留することになる。接客部１１０に残留する紙幣は、異常紙幣であると鑑別された小型紙幣及び大型紙幣と、ズレ量が大きい小型紙幣である。
【００７４】
そして、ステップＳ１３８で接客部１１０に紙幣が残留していると判定された場合には（Ｙｅｓ）、制御部１６は、接客口１１２のシャッタを開ける（ステップＳ１４０）。そして、制御部１６は、顧客により接客口１１２から紙幣が抜き取られると、シャッタを閉じる（ステップＳ１４２）。一方で、ステップＳ１３８で接客部１１０に紙幣が残留していないと判定された場合には（Ｎｏ）、制御部１６は、シャッタが閉じた状態を維持させる。
【００７５】
その後、顧客が入金を継続する場合には（ステップＳ１４４：Ｙｅｓ）、制御部１６は、接客口１１２のシャッタを開ける（ステップＳ１０２）。これにより、顧客は、新たな紙幣を入金できる。一方で、顧客が入金を継続しない場合には（ステップＳ１４４：Ｎｏ）、制御部１６は、図１２に示すように収納処理を開始する（ステップＳ１４６）。
【００７６】
（収納処理）
収納処理において、制御部１６は、一時保留部１２０に集積された紙幣（具体的には、正常紙幣である大型紙幣と、正常紙幣でかつズレ量が小さい小型紙幣）を一枚ずつ分離して繰り出し、搬送路１４０の搬送方向に搬送させる（ステップＳ１４８）。そして、制御部１６は、搬送中の紙幣を鑑別部１３０により鑑別する（ステップＳ１５０）。具体的には、鑑別部１３０は、紙幣が正常紙幣であるか否かを鑑別する。一時保留部１２０からの繰出しの際に紙幣がずれて搬送されることで、異常紙幣と鑑別されることがある。
【００７７】
鑑別部１３０により正常紙幣であると鑑別された場合には（ステップＳ１５２：Ｙｅｓ）、制御部１６は、紙幣を収納部１５１〜１５４に金種別に搬送させる（ステップＳ１５４）。具体的には、正常紙幣であると鑑別された大型紙幣は、金種別収納部１５１〜１５３に搬送され、正常紙幣であると鑑別された小型紙幣は、小型紙幣収納部１５４に搬送される。
【００７８】
一方で、鑑別部１３０により異常紙幣であると鑑別された場合には（ステップＳ１５２：Ｎｏ）、制御部１６は、異常紙幣であると鑑別された紙幣をリジェクト収納部１５５に搬送させる（ステップＳ１５６）。
【００７９】
制御部１６は、一時保留部１２０に集積された全ての紙幣の分離が終了するまで、上述したステップＳ１４８〜Ｓ１５６の処理を繰り返す（ステップＳ１５８）。そして、全ての紙幣の分離が終了すると（Ｓ１５８：Ｙｅｓ）、制御部１６は、収納処理を終了させる（ステップＳ１６０）。これにより、入金取引時の自動取引装置１の動作が完了する。
【００８０】
（１−５．第１の実施形態の有効性）
上述したように、自動取引装置１は、鑑別部１３０により幅方向（交差方向）のズレ量が大きいと判定された小型紙幣Ｓ２を接客部１１０へ搬送させ、幅方向のズレ量が小さいと判定された小型紙幣Ｓ２を小型紙幣収納部１５４へ搬送させる。かかる構成による有効性について、図１３に示す比較例と対比しながら、説明する。
【００８１】
図１３は、比較例に係る入金取引時の自動取引装置の動作例を示すフローチャートである。図１３に示す比較例に係るフローチャートと、図１１に示す第１の実施形態に係るフローチャートとを対比すると分かるように、比較例においては、紙幣が小型紙幣か小型紙幣以外であるかを判定するステップ（図１１のステップＳ１１４）が無い。また、比較例においては、小型紙幣の幅方向のズレ量を判定するステップ（図１１のステップＳ１２０）が無い。
【００８２】
すなわち、比較例においては、紙幣が正常紙幣か異常紙幣かを判定するのみである（ステップＳ９２２）。そして、正常紙幣である紙幣（小型紙幣、大型紙幣）は一時保留部１２０へ搬送され（ステップＳ９２４）、異常紙幣である紙幣（小型紙幣、大型紙幣）は接客部１１０へ搬送される（ステップＳ９２６）。なお、図１３のステップＳ９０２〜Ｓ９０８、及びステップＳ９３２〜Ｓ９４４は、図１１のステップＳ１０２〜Ｓ１０８、及びステップＳ１３２〜Ｓ１４４と同様の処理である。
【００８３】
このため、比較例においては、小型紙幣も大型紙幣を収納可能な幅広収納部に収納される場合がある。かかる場合には、幅広収納部内に小型紙幣が不整列に集積されてしまう（図５参照）。このように小型紙幣が不整列に集積されると、分離の際に分離ローラが小型紙幣を適切に繰り出すことができない（図６参照）。また、比較例においては、小型紙幣の幅方向のズレ量を判定しないので、ズレ量が大きい小型紙幣が幅狭収納部に搬送される場合がある。かかる場合には、ズレ量が大きい小型紙幣が搬送路の狭くなる幅狭収納部へ搬送される際に（図９参照）、ジャムが発生してしまう。
【００８４】
これに対して、第１の実施形態に係る自動取引装置１は、鑑別部１３０により幅方向のズレ量が大きいと判定された小型紙幣Ｓ２を接客部１１０へ搬送させる。一方で、自動取引装置１は、鑑別部１３０により幅方向のズレ量が小さいと判定された小型紙幣Ｓ２を、一時保留部１２０を介して小型紙幣収納部１５４へ搬送させる。これにより、幅方向のズレ量が大きい小型紙幣Ｓ２が幅広収納部へ搬送されることが無いため、ズレ量が大きい小型紙幣Ｓ２が幅広収納部に不整列に集積されることを防止できる。この結果、幅広収納部に集積された小型紙幣Ｓ２を分離する際に不適切に分離されることを抑制できる。また、第１の実施形態によれば、幅方向のズレ量が小さい小型紙幣Ｓ２のみが小型紙幣収納部１５４へ搬送されるので、ズレ量が大きい小型紙幣Ｓ２が小型紙幣収納部１５４に搬送されることに起因して発生するジャムを防止できる。
【００８５】
なお、第１の実施形態では、入金取引の際に、接客部１１０から繰り出された小型紙幣を一時保留部１２０に一時的集積した後に、幅方向のズレ量の小さい小型紙幣を小型紙幣収納部１５４に搬送することとしたが、これに限定されない。例えば、接客部１１０から繰り出されたズレ量の小さい小型紙幣を、一時保留部１２０を介さずに小型紙幣収納部１５４に直接搬送しても良い。
【００８６】
また、第１の実施形態では、幅方向のズレ量を判定する基準位置が、幅方向の中心であることとしたが、これに限定されない。例えば、紙幣が幅方向の端を基準に搬送される構成である場合には、ズレ量を判定する基準位置は、当該端となる。
【００８７】
＜２．第２の実施形態＞
第１の実施形態においては、接客部１１０に投入された全ての紙幣の鑑別後に接客部１１０に戻された紙幣（異常紙幣と、ズレ量が大きい小型紙幣）が、所定回数だけ再分離されて繰り出される。これに対して、第２の実施形態では、ズレ量が大きい小型紙幣が接客部１１０に戻された場合には、当該小型紙幣の再分離が行われない。
【００８８】
（第２の実施形態に係る構成例）
以下では、第２の実施形態において第１の実施形態と異なる構成について説明し、第１の実施形態と同様の構成については説明を省略する。第２の実施形態に係る自動取引装置１の制御部１６（図１）は、鑑別部１３０によりズレ量が大きいと判定された小型紙幣を接客部１１０へ搬送させた場合には、小型紙幣のリトライ搬送を行わない。すなわち、接客部１１０は、戻された小型紙幣を繰り出さない。
【００８９】
通常、接客部１１０に戻ったズレ量が大きい小型紙幣についてリトライ搬送を行うと、入金処理の時間が長くなる。また、ズレ量が大きい小型紙幣をリトライ搬送しても、ズレ量を小さくことは困難である。このため、顧客にとっては無駄に時間を待つ恐れがある。これに対して、第２の実施形態のようにズレ量が大きい小型紙幣が接客部１１０へ戻された場合には強制的にリトライ搬送を中止することで、入金処理中の顧客の待ち時間を減少させることができる。
【００９０】
また、制御部１６は、鑑別部１３０によりズレ量が大きいと判定された小型紙幣と、異常紙幣と判定された大型紙幣とを接客部１１０へ搬送させた場合には、小型紙幣及び大型紙幣のリトライ搬送を行わない。これにより、リトライ搬送の回数を強制的に減らすことができるので、入金処理中の顧客の待ち時間を一層減少させることができる。
【００９１】
（第２の実施形態に係る動作例）
次に、図１４を参照しながら、第２の実施形態に係る入金取引時の自動取引装置１の動作例について説明する。
【００９２】
図１４は、第２の実施形態に係る入金取引時の自動取引装置１の動作例を示すフローチャートである。図１４に示すステップＳ１０２〜Ｓ１３２の処理は、図１１に示す第１の実施形態と同様であるので、詳細な説明を省略する。第２の実施形態では、接客部１１０に投入された全ての紙幣の分離が終了すると（ステップＳ１３２：Ｙｅｓ）、制御部１６は、鑑別した紙幣中に幅方向のズレ量の大きい小型紙幣があったか否かを判定する（ステップＳ２０２）。
【００９３】
ステップＳ２０２で幅方向のズレ量の大きい小型紙幣が無い場合には（Ｎｏ）、制御部１６は、接客部１１０に戻された紙幣を再分離するか否かを判定する（ステップＳ１３４）。例えば、制御部１６は、異常紙幣と鑑別された小型紙幣や大型紙幣がある場合には、再分離を行うと判定する。
【００９４】
そして、接客部１１０に再分離を行う紙幣（異常紙幣）が戻された場合には（１３４：Ｙｅｓ）、制御部１６は、接客部１１０から紙幣を再分離させる（ステップＳ１１０）。一方で、所定回数だけ紙幣の再分離が行われ、又は全ての紙幣が一時保留部１２０に搬送された場合には（ステップＳ１３４：Ｎｏ）、制御部１６は、入金処理を終了させる（ステップＳ１３６）。
【００９５】
また、第２の実施形態では、ステップＳ２０２でズレ量の大きい小型紙幣がある場合には（Ｙｅｓ）、制御部１６は、接客部１１０に戻った紙幣（ズレ量の大きい小型紙幣）の再分離を行わず、入金処理を終了させる（ステップＳ１３６）。なお、制御部１６は、ズレ量の大きい小型紙幣と共に、異常紙幣と判断された大型紙幣が接客部１１０に戻った場合には、小型紙幣だけで無く大型紙幣の再分離も行わない。これにより、強制的にリトライ搬送を中止することで、入金処理中の顧客の待ち時間を減少させることができる。
【００９６】
なお、第２の実施形態における入金処理終了後の自動取引装置１の動作（ステップＳ１３８以後の処理）は、図１１及び図１２に示す第１の実施形態と同様なので、詳細な説明は省略する。
【００９７】
＜３．第３の実施形態＞
第３の実施形態では、第２の実施形態に加えて、顧客が抜き取った小型紙幣を接客口１１２に再投入する際に、接客口１１２に対する小型紙幣の投入位置を誘導する誘導表示であるガイダンス表示が行われる。
【００９８】
（第３の実施形態に係る構成例）
以下では、第３の実施形態において第２の実施形態と異なる構成について説明し、第２の実施形態と同様の構成については説明を省略する。第３の実施形態に係る自動取引装置１の表示部１４（図１参照）は、鑑別部１３０によりズレ量が大きいと判定された小型紙幣が接客部１１０に搬送された後であって接客口１１２に紙幣が再投入される際に、図１５に示すように小型紙幣の接客口１１２に対する投入位置を誘導するガイダンス表示を行う。
【００９９】
図１５は、第３の実施形態に係る表示部１４のガイダンス表示の一例を示す図である。図１５に示すガイダンス表示は、小型紙幣のセット位置が接客口１１２の長手方向の中央に位置するように、小型紙幣の投入を誘導しているものである。
【０１００】
顧客は、投入された小型紙幣が返却されると、返却された小型紙幣を接客部１１０に再投入する。この際、顧客は、図１５に示すガイダンス表示を見て、小型紙幣（前回ズレ量が大きかった小型紙幣）を接客口１１２の長手方向の中央に位置するように再投入することになる。そして、再投入された小型紙幣は、鑑別部１３０に向けて搬送される際に、幅方向の中央側に位置する。このため、小型紙幣は、ズレ量が小さくなり、接客部１１０に戻らずに一時保留部１２０を介して小型紙幣収納部１５４に搬送される。この結果、小型紙幣収納部１５４に収納される小型紙幣の枚数を増やすことができる。
【０１０１】
一方で、表示部１４は、鑑別部１３０により異常紙幣を判定された大型紙幣が接客部１１０に搬送された後であって接客口１１２に紙幣が再投入される際には、誘導表示を行わない。異常紙幣である大型紙幣が接客部１１０に返却された場合には、当該大型紙幣が接客部１１０に再投入されるが、小型紙幣が再投入される可能性は低い。このため、小型紙幣の投入位置を誘導するガイダンス表示を行う必要が無い。よって、ガイダンス表示を行わないことで、自動取引装置１の動作を簡略化でき、またガイダンス表示に起因して顧客の誤操作の誘発を防止できる。
【０１０２】
（第３の実施形態に係る動作例）
次に、図１６を参照しながら、第３の実施形態に係る入金取引時の自動取引装置１の動作例について説明する。
【０１０３】
図１６は、第３の実施形態に係る入金取引時の自動取引装置１の動作例を示すフローチャートである。図１６に示すステップＳ１０２〜Ｓ１４４の処理は、図１４に示す第２の実施形態と同様であるので、詳細な説明を省略する。第３の実施形態では、顧客が入金を継続する場合に（ステップＳ１４４：Ｙｅｓ）、制御部１６は、接客部１１０へ返却された紙幣の中に幅方向のズレ量の大きい小型紙幣があるか否かを判定する（ステップＳ３０２）。
【０１０４】
ステップＳ３０２でズレ量の大きい小型紙幣が返却されたと判定された場合には（Ｙｅｓ）、制御部１６は、接客口１１２に対する小型紙幣の投入位置に関するガイダンス表示（図１５）を行う（ステップＳ３０４）。次に、制御部１６は、顧客に紙幣を再投入させるべく、接客口１１２のシャッタを開ける（ステップＳ１０２）。これにより、ガイダンス表示を見た顧客は、小型紙幣（前回ズレ量が大きかった小型紙幣）を接客口１１２の長手方向の中央に位置するように再投入することになる。これにより、再投入された小型紙幣は、搬送中に幅方向の中央側に位置してズレ量が小さくなるので、小型紙幣収納部１５４へ搬送される。
【０１０５】
一方で、ステップＳ３０２でズレ量の大きい小型紙幣が返却されていない（大型紙幣が返却された）と判定された場合には（Ｎｏ）、制御部１６は、上記のガイダンス表示を行わずに、シャッタを開ける（ステップＳ１０２）。これにより、顧客は、大型紙幣の大きさに合わせて形成された接客口１１２に、大型紙幣を再投入することになる。
【０１０６】
＜４．第４の実施形態＞
第１〜第３の実施形態では、制御部１６は、入金処理の際に、小型紙幣の幅方向のズレ量の大小を判定し、ズレ量の大きさに応じた搬送先に小型紙幣を搬送していた。第４の実施形態では、入金処理に加えて収納処理の際に、小型紙幣の幅方向のズレ量の大小を判定し、ズレ量の大きさに応じた搬送先に小型紙幣が搬送される。
【０１０７】
（第４の実施形態に係る構成例）
以下では、第４の実施形態において第１〜第３の実施形態と異なる構成について説明し、第１〜第３の実施形態と同様の構成については説明を省略する。第４の実施形態に係る自動取引装置１の鑑別部１３０は、収納処理の際に、一時保留部１２０から繰り出されて搬送中の紙幣（小型紙幣、大型紙幣）が正常紙幣又は異常紙幣であるかを鑑別するだけで無く、搬送中の小型紙幣のズレ量を判定する。
【０１０８】
一時保留部１２０は、集積された小型紙幣を例えば分離ローラによって繰り出す。この際、分離ローラと小型紙幣との接触状態等に応じて、繰り出される小型紙幣の姿勢が変動することがある。このように姿勢が変動した小型紙幣は、搬送中の幅方向におけるズレ量も変動し、ズレ量が大きくなる恐れがある。そこで、第４の実施形態では、一時保留部１２０から繰り出された小型紙幣のズレ量を鑑別部１３０が鑑別することで、収納処理中の小型紙幣の幅方向のズレ量を適切に検出できる。
【０１０９】
第４の実施形態に係る制御部１６は、鑑別部１３０によりズレ量が大きいと判定された小型紙幣をリジェクト収納部１５５へ搬送させ、ズレ量が小さいと判定された小型紙幣を小型紙幣収納部１５４へ搬送させる。なお、リジェクト収納部１５５は、大型紙幣及び小型紙幣を収納可能な幅広カセットであり、小型紙幣収納部１５４は、大型紙幣と小型紙幣のうちの小型紙幣のみを収納可能な幅狭カセットである（図７参照）。
【０１１０】
これにより、ズレ量が大きい小型紙幣は、大型紙幣も収納可能なリジェクト収納部１５５へ搬送され、ズレ量が小さい小型紙幣は、小型紙幣のみが収納可能な小型紙幣収納部１５４へ搬送される。前述したように、搬送路１４０において小型紙幣収納部１５４へ至る経路で搬送路１４０の幅が、小型紙幣のサイズに合わせて狭まる。このため、ズレ量が小さい小型紙幣のみを小型紙幣収納部１５４へ搬送させることで、ズレ量が大きい小型紙幣が搬送路１４０の狭くなる小型紙幣収納部１５４へ搬送される際に発生するジャムを防止できる。なお、リジェクト収納部１５５には、大型紙幣を搬送するため、ズレ量の大きい小型紙幣を搬送してもジャムの発生する可能性が低い。
【０１１１】
（第４の実施形態に係る動作例）
次に、図１７を参照しながら、第４の実施形態に係る入金取引における収納処理時の自動取引装置１の動作例について説明する。なお、第４の実施形態に係る入金取引における入金処理時の自動取引装置１の動作は、第１〜第３の実施形態と同様（図１１、図１４、図１６参照）であるので、詳細な説明は省略する。
【０１１２】
図１７は、第４の実施形態に係る入金取引における収納処理時の自動取引装置１の動作例を示すフローチャートである。図１７に示すフローチャートにおいて、制御部１６は、収納処理を開始し（ステップＳ１４６）、一時保留部１２０に集積された紙幣を一枚ずつ分離して搬送させる（ステップＳ１４８）。そして、制御部１６は、搬送中の紙幣を鑑別部１３０により鑑別する（ステップＳ１５０）。
【０１１３】
具体的には、鑑別部１３０は、紙幣が小型紙幣か小型紙幣以外の紙幣（大型紙幣と呼ぶ）かを判別し（ステップＳ４０２）、また紙幣が正常紙幣又は異常紙幣かを判別する（ステップＳ４０４、Ｓ４０６）。さらに、鑑別部１３０は、小型紙幣である場合に、当該小型紙幣の幅方向のズレ量が小さいか否かを判定する（ステップＳ４０８）。これにより、一時保留部１２０からの繰り出し以降に小型紙幣の幅方向のズレ量が変動しても、小型紙幣のズレ量を適切に検出できる。
【０１１４】
ステップＳ４０２で鑑別部１３０により大型紙幣であると判別された場合（Ｎｏ）、制御部１６は、正常紙幣である大型紙幣を金種別収納部１５１〜１５３へ搬送させる（ステップＳ４０４：Ｙｅｓ、Ｓ４１０）。また、制御部１６は、異常紙幣である大型紙幣をリジェクト収納部１５５へ搬送させる（ステップＳ４０４：Ｎｏ、Ｓ４１２）。
【０１１５】
一方で、ステップＳ４０２で鑑別部１３０により小型紙幣であると判別された場合（Ｙｅｓ）、制御部１６は、正常紙幣でかつズレ量が小さい小型紙幣を小型紙幣収納部１５４へ搬送させる（ステップＳ４０８：Ｙｅｓ、Ｓ４１４）。また、制御部１６は、正常紙幣でかつズレ量が大きい小型紙幣をリジェクト収納部１５５へ搬送させる（ステップＳ４０８：Ｎｏ、Ｓ４１６）。さらに、制御部１６は、異常紙幣である小型紙幣をリジェクト収納部１５５へ搬送させる（ステップＳ４０６：Ｎｏ、Ｓ４１８）。これにより、ズレ量が大きい小型紙幣がリジェクト収納部１５５へ搬送され、ズレ量が小さい小型紙幣が小型紙幣収納部１５４へ搬送される。この結果、ズレ量が大きい小型紙幣が小型紙幣収納部１５４へ搬送されることに起因するジャムが発生することを防止できる。
【０１１６】
制御部１６は、一時保留部１２０に集積された全ての紙幣の分離が終了するまで、上述したステップＳ１４８〜Ｓ４１８の処理を繰り返す（ステップＳ１５８）。そして、全ての紙幣の分離が終了すると（Ｓ１５８：Ｙｅｓ）、制御部１６は、収納処理を終了させる（ステップＳ１６０）。
【０１１７】
＜５．まとめ＞
上述した自動取引装置１は、鑑別部１３０により幅方向のズレ量が大きいと判定された小型紙幣Ｓ２を、接客部１１０へ搬送させる。一方で、自動取引装置１は、鑑別部１３０により幅方向のズレ量が小さいと判定された小型紙幣Ｓ２を、収納部（具体的には、小型紙幣収納部１５４）へ搬送させる。
【０１１８】
これにより、幅方向のズレ量が大きい小型紙幣が幅広収納部（大型紙幣と小型紙幣を収納可能な収納部）へ搬送されることが無いため、ズレ量が大きい小型紙幣が幅広収納部に不整列に集積されることを防止できる。この結果、幅広収納部に集積された小型紙幣を分離する際に不適切に分離されることを抑制できる。また、自動取引装置１によれば、幅方向のズレ量が小さい小型紙幣のみが幅狭の小型紙幣収納部１５４へ搬送されるので、ズレ量が大きい小型紙幣が小型紙幣収納部１５４に搬送されることに起因して発生するジャムを防止できる。
【０１１９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１２０】
また、上述した自動取引装置１の処理における各ステップは、必ずしもフローチャートとして記載された順序に沿って時系列に処理する必要はない。例えば、自動取引装置１の処理における各ステップは、フローチャートとして記載した順序と異なる順序で処理されても、並列的に処理されてもよい。
【０１２１】
また、自動取引装置１に内蔵されるＣＰＵ、ＲＯＭおよびＲＡＭなどのハードウェアを、上述した自動取引装置１の各構成と同等の機能を発揮させるためのコンピュータプログラムも作成可能である。
【符号の説明】
【０１２２】
１      自動取引装置
１４    表示部
１６    制御部
２０    紙幣入出金機
１１０    接客部
１１２    接客口
１２０    一時保留部
１３０    鑑別部
１４０    搬送路
１５１、１５２、１５３    金種別収納部
１５４    小型紙幣収納部
１５５    リジェクト収納部
Ｓ１    大型紙幣
Ｓ２    小型紙幣
【図１】
2015007869.tif 000003
【図２】
2015007869.tif 000004
【図３】
2015007869.tif 000005
【図４】
2015007869.tif 000006
【図５】
2015007869.tif 000007
【図６】
2015007869.tif 000008
【図７】
2015007869.tif 000009
【図８】
2015007869.tif 000010
【図９】
2015007869.tif 000011
【図１０】
2015007869.tif 000012
【図１１】
2015007869.tif 000013
【図１２】
2015007869.tif 000014
【図１３】
2015007869.tif 000015
【図１４】
2015007869.tif 000016
【図１５】
2015007869.tif 000017
【図１６】
2015007869.tif 000018
【図１７】
2015007869.tif 000019